(57)【要約】      （修正有）【課題】  第一板体と第二板体を結合して複合式板体を形成し、上記第二板体に対して複数個の突出リブと一個の強化突出体などの突出部が形成するまで加工し、上記突出リブまたは強化突出体により上記複合式板体の構造強度と振動吸収性を相対的に高めることができ、さらに上記第一板体により上記複合式板体の重量を相対的に減らし、ゴルフクラブヘッドの打球の安定性と耐用性を相対的に高めることができる。【解決手段】  ヘッド本体１および複合式板体２１，２２により構成される。ヘッド本体１には開口１０が形成される。上記複合式板体には異なる材質により製成された板体２１と複数個の突出部２２１が設けられる、板体２１には正面と背面が形成される。上記突出部は板体２１の上記背面に設けられ、板体２１はヘッド本体１の開口１０に対応するように結合されることにより、共同でゴルフクラブヘッドを形成するように構成されている。【選択図】図１
0003124540.tif 000002
【実用新案登録請求の範囲】
【請求項１】
ヘッド本体（１）およびフェース板（２）により構成されるゴルフクラブヘッドであって、ヘッド本体（１）にはクラウン部、ソール部、背部と側部が含まれ、ヘッド本体（１）の正面には開口（１０）が形成され、さらにヘッド本体（１）の一方にはホーゼル（１２）が設けられ、フェース板（２）には金属板体（２１）と複数個の金属突出部が設けられ、金属板体（２１）には外表面と内表面が形成され、上記複数個の金属突出部は金属板体（２１）の上記内表面に設けられ、金属板体（２１）の材質は上記金属突出部の材質とは異なり、そして各二個の上記金属突出部に隣接する間には溝（２２３）が形成され、フェース板（２）はヘッド本体（１）の開口（１０）に対応するように結合されることにより、ゴルフクラブヘッドを形成することを特徴とするゴルフクラブヘッド。
【請求項２】
フェース板（２）の金属板体（２１）と上記金属突出部との間には選択的に爆発溶接層、ロール層と粘着層の少なくとも一種が形成されることを特徴とする請求項１記載のゴルフクラブヘッド。
【請求項３】
上記金属突出部は選択的に螺旋状突出部、環状突出部と網状突出部の少なくとも一種からなることを特徴とする請求項１記載のゴルフクラブヘッド。
【請求項４】
ヘッド本体（１）には他に結合周壁（１１）が設けられ、結合周壁（１１）はヘッド本体（１）の開口（１０）の内周面に形成され、そしてフェース板（２）の金属板体（２１）には他に結合周面（２１２）が設けられ、結合周面（２１２）はヘッド本体（１）の結合周壁（１１）に対応するように結合するのに用いられることを特徴とする請求項１記載のゴルフクラブヘッド。
【請求項５】
フェース板（２）の金属板体（２１）の材質は選択的に高弾性変形の能力を有する材質からなることを特徴とする請求項１記載のゴルフクラブヘッド。
【請求項６】
フェース板（２）の金属板体（２１）の材質は選択的に高い振動吸収の能力を有する材質からなることを特徴とする請求項１記載のゴルフクラブヘッド。
【請求項７】
金属板体（２１）の材質の比重は上記金属突出部の材質の比重より相対的に低くなるように形成されることを特徴とする請求項１記載のゴルフクラブヘッド。
【請求項８】
ヘッド本体（１）および複数個の突出部により構成されるゴルフクラブヘッドであって、ヘッド本体（１）にはフェース板、クラウン板、ソール板、背板と側板が含まれると共に、それらは共同で中空部を形成し、そしてそれぞれには外表面と内表面が形成され、ヘッド本体（１）は第一材質により製成され、さらにヘッド本体（１）の一方にはホーゼル（１２）が設けられ、上記複数個の突出部は第二材質により製成されると共に、選択的にフェース板、クラウン板、ソール板、背板と側板の少なくとも一個の内表面に設けられ、上記第二材質は上記第一材質とは異なり、さらに上記第一材質と第二材質との間には選択的に爆発溶接層、ロール層と粘着層の少なくとも一種が形成されることを特徴とするゴルフクラブヘッド。
【請求項９】
上記突出部は選択的にヘッド本体（１）のフェース板の内表面に設けられ、そして上記突出部の肉厚はヘッド本体（１）のクラウン板側からソール板側へ段々と厚くなるように形成されることを特徴とする請求項８記載のゴルフクラブヘッド。
【請求項１０】
上記突出部は選択的に螺旋状突出部、環状突出部と網状突出部の少なくとも一種からなることを特徴とする請求項８記載のゴルフクラブヘッド。
【請求項１１】
上記突出部は選択的にヘッド本体（１）のクラウン板、ソール板と側板の少なくとも一個の内表面に設けられ、そして上記突出部の数量はヘッド本体（１）の正面側から背面側へ段々と増えるように形成されることを特徴とする請求項８記載のゴルフクラブヘッド。
【請求項１２】
各二個の上記突出部に隣接する間にはそれぞれ溝（２２３）が形成されることを特徴とする請求項８記載のゴルフクラブヘッド。
【請求項１３】
上記突出部は選択的にヘッド本体（１）のクラウン板、ソール板と側板の少なくとも一個の内表面に設けられ、そして上記突出部が形成した溝（２２３）の面積はヘッド本体（１）の正面側から背面側へ段々と減るように形成されることを特徴とする請求項８記載のゴルフクラブヘッド。
【請求項１４】
ヘッド本体（１）の第一材質の比重は上記突出部の第二材質の比重より相対的に低くなるように形成されることを特徴とする請求項８記載のゴルフクラブヘッド。
【請求項１５】
ヘッド本体（１）、フェース板（２’）、ホーゼル（１２）および複数個の突出部により構成されるゴルフクラブヘッドであって、ヘッド本体（１）にはクラウン部、ソール部、背部と側部が設けられ、そして外表面と内表面が形成され、ヘッド本体（１）の背部のもう一方には相対するように正面が形成され、ヘッド本体（１）は第一材質により製成され、フェース板（２’）はヘッド本体（１）の上記正面に設けられ、ホーゼル（１２）はヘッド本体（１）の一方に設けられ、上記複数個の突出部は選択的に螺旋状突出部、環状突出部と網状突出部の少なくとも一種からなり、そして第二材質により製成されると共に、選択的にヘッド本体（１）の側板の内表面に設けられ、上記第二材質は上記第一材質とは異なり、さらに上記第二材質の比重は第一材質の比重より大きくなるように形成され、ヘッド本体（１）と上記突出部との間には選択的に爆発溶接層、ロール層と粘着層の少なくとも一種が形成されることを特徴とするゴルフクラブヘッド。
【考案の詳細な説明】
【技術分野】
【０００１】
本考案は、ゴルフクラブヘッドに関するもので、特に異なる材質により製成された板体と複数個の突出部を結合して複合式の板体に形成することにより、板体の構造の強度を高めることができるゴルフクラブヘッドに係るものである。
【背景技術】
【０００２】
従来のゴルフクラブヘッドの構造としては、フェース板と桿体が含まれ、上記フェース板は上記桿体の正面に結合される。上記フェース板の背面には突出塊が設けられ、上記突出塊は一体になるようにフェース板に成形される。上記突出塊は選択的に螺旋状または複数個の環状からなる構造に形成される。上記突出塊を設置することにより、ゴルフクラブヘッドの重心の位置を変えることができるようにとしたものがある（例えば、特許文献１を参照）。
【０００３】
また、従来のゴルフクラブヘッドの構造としては、そのゴルフクラブヘッドの接合方法として下記の段階が含まれる。ａ）金属材質の異なる第一板材と第二板材を爆発溶接によって合成板材を結合して形成し、再び上記合成板材を殻片状の第一部材に成形させ、上記第一部材の形状はヘッドの前側のフェース板の部位に対応し、そして上記第一板材は上記第一部材に相対して上記ヘッドの表面に近付く一方に位置する段階と、ｂ）上記合成板材を上記フェース板に成形させる時、上記第二板材の中央部位を除去し、上記第二板材の周縁の部位だけを残留させることにより、ヘッド本体が溶接して結合するのに用いる段階と、ｃ）上記フェース板を上記ヘッド本体に近寄らせ、上記フェース板の第二板材の周縁を上記第二部材に当接させ、再び上記第二部材と上記第一部材を溶接して結合させることにより、共同でゴルフクラブヘッドを構成するようにとしたものがある（例えば、特許文献２を参照）。
【特許文献１】アメリカ特許第５，７７６，０１１号
【特許文献２】中華民国第５５０１０６号公報
【考案の開示】
【考案が解決しようとする課題】
【０００４】
上記のような従来のゴルフクラブヘッドの構造においては、上記突出塊は上記フェース板とは同じ材質で一体になるように成形されるため、高弾性変形の能力の材質を採用する場合、上記突出塊は上記ゴルフクラブヘッドの振動吸収の能力を有効に吸収することができないという問題点があった。それに反して、振動吸収の高い材質を採用する場合、上記フェース板が打球の過程における弾性変形の自由度を相対的に減らしてしまうという問題点があった。簡単に言えば、上記従来のゴルフクラブヘッドの構造によれば、高い振動吸収性および高弾性変形の能力という二重の利点を有することができないという問題点があった。
【０００５】
また、上記のような従来のゴルフクラブヘッドの構造においては、実際に打球時において上記ゴルフクラブヘッドの第一板材の中央部位（スイートスポットsweet spot）は比較的大きい打球の応力と衝撃力を受けるが、上記第一板材の中央部位には上記第二板材を有しておらず、上記第一板材の中央部位の背面は実質的に上記第一板材そのものの肉厚とは同じであるため、上記第一板材の中央部位において充分な構造強度を提供することができないため、長期に渡って使用すると、上記第一板材に変形または破裂が生じてしまうだけではなく、打球の振動を有効に吸収することができないため、使用寿命が相対的に短くなるという問題点があった。このように、上記のような従来のゴルフクラブヘッドの構造をさらに改良しなければならない。
【０００６】
本考案はこのような問題点に鑑みて考案したものであって、その目的とするところは、第一板体と第二板体を結合して複合式板体を形成し、そして上記第二板体に対して複数個の突出リブと一個の強化突出体などの突出部が形成するまで加工し、さらに上記突出リブまたは強化突出体により上記複合式板体の構造強度と振動吸収性を相対的に高める。上記第一板体は上記複合式板体の重量を相対的に減らし、さらにゴルフクラブヘッドの打球の安定性と耐用性を相対的に高めるのに用いられるゴルフクラブヘッドを提供しようとするものである。
【０００７】
本考案の第一の目的は、第一板体と第二板体を結合して複合式板体を形成し、そして上記第二板体に対して複数個の突出リブなどの突出部が形成するまで加工することにより、板体の構造強度、使用寿命と打球の安定性を高めることができるゴルフクラブヘッドを提供しようとするものである。
【０００８】
本考案の第二の目的は、上記第二板体に対して他に一個の強化突出体が形成するまで加工することにより、板体の構造強度、使用寿命と打球の安定性を高めることができるゴルフクラブヘッドを提供しようとするものである。
【０００９】
本考案の第三の目的は、第一板体と第二板体を結合して複合式板体を形成し、そして第一板体には比較的よい弾性変形の能力を有し、さらに第二板体には比較的よい振動吸収の能力を有するように形成されることにより、弾性変形の能力と振動吸収の能力を高めることができるゴルフクラブヘッドを提供しようとするものである。
【課題を解決するための手段】
【００１０】
上記目的を達成するために、本考案によるゴルフクラブヘッドは、下記のようになるものである。すなわち、
ヘッド本体およびフェース板により構成される。ヘッド本体にはクラウン部、ソール部、背部と側部が含まれ、ヘッド本体の正面には開口が形成され、さらにヘッド本体の一方にはホーゼルが設けられる。フェース板には金属板体と複数個の金属突出部が設けられ、金属板体には外表面と内表面が形成され、上記複数個の金属突出部は金属板体の上記内表面に設けられ、金属板体の材質は上記金属突出部の材質とは異なり、そして各二個の上記金属突出部に隣接する間には溝が形成され、フェース板はヘッド本体の開口に対応するように結合されることにより、ゴルフクラブヘッドを形成する。
【００１１】
本考案によるゴルフクラブヘッドは、フェース板の金属板体と上記金属突出部との間には選択的に爆発溶接層、ロール層と粘着層の少なくとも一種が形成されることもできる。また、上記金属突出部は選択的に螺旋状突出部、環状突出部と網状突出部の少なくとも一種からなることもできる。また、ヘッド本体には他に結合周壁が設けられ、結合周壁はヘッド本体の開口の内周面に形成され、そしてフェース板の金属板体には他に結合周面が設けられ、結合周面はヘッド本体の結合周壁に対応するように結合するのに用いられることもできる。また、フェース板の金属板体の材質は選択的に高弾性変形の能力を有する材質からなることもできる。また、フェース板の金属板体の材質は選択的に高い振動吸収の能力を有する材質からなることもできる。また、金属板体の材質の比重は上記金属突出部の材質の比重より相対的に低くなるように形成されることもできる。
【００１２】
また、本考案によるゴルフクラブヘッドは、ヘッド本体および複数個の突出部により構成される。ヘッド本体にはフェース板、クラウン板、ソール板、背板と側板が含まれると共に、それらは共同で中空部を形成し、そしてそれぞれには外表面と内表面が形成され、ヘッド本体は第一材質により製成され、さらにヘッド本体の一方にはホーゼルが設けられる。上記複数個の突出部は第二材質により製成されると共に、選択的にフェース板、クラウン板、ソール板、背板と側板の少なくとも一個の内表面に設けられ、上記第二材質は上記第一材質とは異なり、さらに上記第一材質と第二材質との間には選択的に爆発溶接層、ロール層と粘着層の少なくとも一種が形成される。
【００１３】
さらに、本考案によるゴルフクラブヘッドは、ヘッド本体、フェース板、ホーゼルおよび複数個の突出部により構成される。ヘッド本体にはクラウン部、ソール部、背部と側部が設けられ、そして外表面と内表面が形成され、ヘッド本体の背部のもう一方には相対するように正面が形成され、ヘッド本体は第一材質により製成される。フェース板はヘッド本体の上記正面に設けられる。ホーゼルはヘッド本体の一方に設けられる。上記複数個の突出部は選択的に螺旋状突出部、環状突出部と網状突出部の少なくとも一種からなり、そして第二材質により製成されると共に、選択的にヘッド本体の側板の内表面に設けられ、上記第二材質は上記第一材質とは異なり、さらに上記第二材質の比重は第一材質の比重より大きくなるように形成され、ヘッド本体と上記突出部との間には選択的に爆発溶接層、ロール層と粘着層の少なくとも一種が形成される。
【考案の効果】
【００１４】
本考案のゴルフクラブヘッドによれば、第一板体と第二板体を結合して複合式板体を形成し、そして上記第二板体に対して複数個の突出リブなどの突出部が形成するまで加工することにより、板体の構造強度、使用寿命と打球の安定性を高めるという利点がある。
【００１５】
本考案のゴルフクラブヘッドによれば、上記第二板体に対して他に一個の強化突出体が形成するまで加工することにより、板体の構造強度、使用寿命と打球の安定性を高めることができるという利点がある。
【００１６】
本考案のゴルフクラブヘッドによれば、第一板体と第二板体を結合して複合式板体を形成し、そして第一板体には比較的よい弾性変形の能力を有し、さらに第二板体には比較的よい振動吸収の能力を有するように形成されることにより、弾性変形の能力と振動吸収の能力を高めることができるという利点がある。
【考案を実施するための最良の形態】
【００１７】
本考案の実施の形態について、以下、図面を参照して説明する。
【実施例１】
【００１８】
図１を参照すると、本考案の実施例１においてゴルフクラブヘッドはウッド型、アイアン型またはパター型などの従来のヘッドの構造から選択することができる。本考案の実施例１においてはアイアン型のヘッドを例に挙げ、上記アイアン型のヘッドにはヘッド本体１とフェース板２（複合式板体）が含まれる。フェース板２は第一板体２１と第二板体２２を結合してなるものである。第一板体２１はフェース板２の主体で、ヘッド本体１に対応するように結合される。第二板体２２が加工によって各種の突出部に形成された後、第一板体２１の強化構造として形成される。
【００１９】
再び図１、２を参照すると、本考案の実施例１のヘッド本体１の材質は炭素鋼、ステンレス鋼（例えば１７‐４ＰＨステンレス鋼）、合金鋼、フェロ−マンガン−アルミ合金、ニッケル合金、鋳鉄、超合金鋼、チタン合金、銅合金、アルミ合金、マグネシウム合金、炭素繊維などの金属、非金属または上記材質の組合せから選択することができる。ヘッド本体１にはクラウン部、ソール部、背部と側部が含まれると共に、それらは共同で中空部を形成する。ヘッド本体１には開口１０、結合壁１１とホーゼル１２が形成される。開口１０はヘッド本体１の正面に開設される。結合壁１１はヘッド本体１の開口１０の内周面に形成されることにより、フェース板２と対応するように結合することができる。ホーゼル１２は一体成形または組立の方式によってヘッド本体１の一方に伸出するように設けられることにより、シャフト（図示せず）と結合することができる。
【００２０】
再び図１、２を参照すると、本考案の実施例１の第一板体２１は相対的に高弾性変形の能力を有する材質から選択することができ、例えばステンレス鋼、炭素鋼、フェロ−マンガン−アルミ合金、アルミ合金、マグネシウム合金またはチタン合金などの金属材質から選択することができる。第一板体２１には正面２１１、結合周面２１２と背面２１３が含まれる。正面２１１は打球するのに用いられる。結合周面２１２はヘッド本体１の結合壁１１に対応するように結合するのに用いられる。背面２１３は正面２１１に相対して第一板体２１の他面に位置され、そして第二板体２２と結合するのに用いられる。
【００２１】
再び図１、２を参照すると、本考案の実施例１の第二板体２２は第一板体２１と異なる材質（異種材質）から選択することができ、例えば相対的に高振動吸収の能力を有する材質から選択することができ、例えば炭素鋼、ステンレス鋼（例えば１７‐４ＰＨステンレス鋼）、合金鋼、ニッケル合金、鋳鉄、超合金鋼、チタン合金、銅合金、アルミ合金、マグネシウム合金または上記金属材質の組合せから選択することができる。第二板体２２には結合面（図示せず）が含まれ、上記結合面は第一板体２１の背面２１３に相対して対応するように結合される。第一板体２１と第二板体２２は好ましくは選択的に爆発溶接、ロール押圧、粘着または上記の組合せなどの方式を利用して相互に結合することにより、第一板体２１と第二板体２２は共同でフェース板２（複合式板体）を形成する。爆発溶接またはロール押圧による結合の方式を選択する場合、第一板体２１と第二板体２２の間には一体成形になるように爆発溶接層またはロール押圧層が形成される。そして粘着による結合の方式を選択する場合、第一板体２１と第二板体２２の間には粘着剤を塗布することによって粘着層が形成される。
【００２２】
再び図１、２を参照すると、本考案の実施例１のフェース板２を予備成形する時、先ず選択的にフライス削り、エッチング、研磨またはその組合せなどの方式を利用して第二板体２２の部分的な除去を行い、第二板体２２の残留部分が第一板体２１の背面２１３において一個の強化突出体２２１と複数個の突出リブ２２２などの突出部が形成されるまで加工する。上記突出部は、すなわち高振動吸収の能力を有する突出部または異種材質の突出部であり、フェース板２の振動吸収の能力と構造強度を増やすのに用いることができる。また、強化突出体２２１と突出リブ２２２との間、および各二個の突出リブ２２２に隣接する間には複数個の凹欠溝２２３が形成され、凹欠溝２２３により第一板体２１に後方への弾性変形の空間を提供することができるため、フェース板２の弾性変形の自由度を提供することができる。
【００２３】
再び図１、２を参照すると、本考案の実施例１のゴルフクラブヘッドを組み立てようとする時、フェース板２の結合周面２１２をヘッド本体１の結合壁１１に対応するように結合させ、さらにフェース板２の正面２１１を結合壁１１の端縁と平らになるように位置合わせる。ヘッド本体１とフェース板２の第一板体２１は好ましくはタングステンイナートガスアーク溶接、レーザービーム溶接、電子ビーム溶接またはプラズマアーク溶接などの結合方式を選択することができ、さらに硬ろう付け、粘着、嵌設または螺合などのその他の結合の方式を選択することもできる。これにより、ヘッド本体１とフェース板２は共同でゴルフクラブヘッド（図示せず）を形成する。さらに、製品の使用上の需要性に応じて背面２１３のリップ縁はヘッド本体１の正面の対応位置に対応するように結合するのに用いることができる。
【００２４】
再び図１、２を参照すると、本考案の実施例１のフェース板２は複合式のフェース板に形成され、第二板体２２の強化突出体２２１はフェース板２の打球のスイートスポット（sweet spot）に対応するように形成され、そして突出リブ２２２は環状または螺旋状として強化突出体２２１の四周に分布される。強化突出体２２１と突出リブ２２２などの異種材質の突出部によって打球の応力を均一に分散させることにより、フェース板２の構造強度と使用寿命を相対的に高めることができる。また、凹欠溝２２３によって弾性変形の空間を提供することにより、フェース板２の弾性変形の自由度を相対的に高めることができる。他に、第一板体２１は高弾性変形の能力を有する材質から選択し、さらに第二板体２２は高振動吸収の能力を有する振動吸収の材質から選択することにより、フェース板２の弾性変形の能力と振動吸収の能力を同時に高めることができ、さらにゴルフクラブヘッドの打球の安定性と構造強度を高めることができる。
【実施例２】
【００２５】
図３を参照すると、本考案の実施例２のゴルフクラブヘッドが掲示される。実施例１と比較してみると、実施例２はウッド型のヘッドを例に挙げ、そして強化突出体２２１と突出リブ２２２を適当にフライス削りを行うことにより、両者の肉厚は上から下へ段々と厚くなるように肉厚の変化を有する構造に形成される。フェース板２の底部に近付く強化突出体２２１と突出リブ２２２の肉厚を増やすことにより、ゴルフクラブヘッドの底部の重量も相対的に増えるため、ゴルフクラブヘッドの全体の重心の位置を低く下げることができる。これにより、本考案においてはゴルフクラブヘッドの打球の安定性と重心位置の調整をさらに有効に高めることができる。
【実施例３】
【００２６】
図４、５を参照すると、本考案の実施例３のゴルフクラブヘッドが掲示される。実施例２と比較してみると、実施例３もウッド型のヘッドを例に挙げ、そして第一板体２１’と第二板体２２’は共同で結合して蓋板２’（複合式板体）を形成する。第一板体２２’と第二板体２２’が相互に結合された後、第二板体２２’に対して複数個の突出リブ２２１’などの突出部が形成するまで加工し、突出リブ２２１’は環状の構造に形成される。また、各突出リブ２２１’の間にも複数個の凹欠溝２２２’が形成され、凹欠溝２２２’により弾性変形の空間を提供することができるため、蓋板２’の弾性変形の自由度を高めることができる。蓋板２’は選択的にタングステンイナートガスアーク溶接、レーザービーム溶接、電子ビーム溶接またはプラズマアーク溶接などの結合方式を利用し、さらに選択的に硬ろう付け、粘着、嵌設または螺合などのその他の結合の方式を利用してヘッド本体１の開口１１の部位を結合することができる。蓋板２’は好ましくはクラウン板から選択することができるが、使用上の需要性に応じてヘッド本体１のソール板、側板または背板から選択することができる。これにより、ヘッド本体１と蓋板２’は共同でゴルフクラブヘッド（図示せず）を形成する。他に、第一板体２１’と第二板体２２’も異なる材質により製成され、第一板体２１’の材質は第二板体２２’の材質に相対して比較的に低い比重を有するため、さらに突出リブ２２１’は第一板体２１’の背面に位置するように形成されるため、第一板体２１’と突出リブ２２１’を設置することによって蓋板２’の比重を調整することもでき、さらにゴルフクラブヘッドの構造強度を高め、重心位置を調整することができる。
【実施例４】
【００２７】
図６を参照すると、本考案の実施例４のゴルフクラブヘッドが掲示される。実施例３と比較してみると、実施例４において蓋板２’は好ましくは側板から選択し、上記蓋板２’において第二板体２２’に対して複数個の突出リブ２２１’と複数個の凹欠溝２２２’などの突出部が形成するまで適当に加工し、凹欠溝２２２’も円形、三角形、矩形、正多辺形などの幾何図形から選択することができる。各凹欠溝２２２’の間には予定の隙間が形成され、そして第二板体２２’の突出リブ２２１’はさらに網状または蜂の巣の形状に排列され、さらに突出リブ２２１’は蓋板２’の背面に形成され、突出リブ２２１’により蓋板２’の構造強度を増やすことができる。特に、ヘッド本体１の正面からその背面まで凹欠溝２２２’が占めた面積は大から小まで段々と減らしていくように形成される。大面積の凹欠溝２２２’は比較的ヘッド本体１の正面に近付くため、蓋板２’がヘッド本体１の正面側（前側）に近付く突出リブ２２１’の数が相対的に少なく、そして蓋板２’がヘッド本体１の背面側（後側）に近付く突出リブ２２１’の数が相対的に多い。このように、蓋板２’がヘッド本体１に近付く正面側の重量は、蓋板２’がヘッド本体１に近付く背面側の重量より小さくなることにより、ゴルフクラブヘッドの重心位置が後方へ移動するのを調整することができるため、本考案においてはゴルフクラブヘッドの打球の安定性と使用寿命を確実に高めることができる。また、蓋板２’は使用上の需要性に応じてヘッド本体１のソール板、クラウン板または背板として形成することができる。
【実施例５】
【００２８】
図７を参照すると、本考案の実施例５のゴルフクラブヘッドが掲示される。実施例４と比較してみると、実施例５において蓋板２’は好ましくはソール板から選択し、上記蓋板２’において第二板体２２’に対して複数個の突出リブ２２１’と複数個の凹欠溝２２２’などの突出部が形成するまで適当に加工し、凹欠溝２２２’は方形の構造から選択すると共に、凹欠溝２２２’も円形、三角形、矩形、正多辺形などの幾何図形から選択することができる。突出リブ２２１’は網状で各凹欠溝２２２’の間に分布され、そして凹欠溝２２２’の面積はヘッド本体１の正面から背面まで相対して大から小まで段々と減らしていくように形成され、突出リブ２２１’により蓋板２’の構造強度を増やすと共に、ゴルフクラブヘッドの全体の重心位置が後方へ移動するのを調整することができるため、本考案においてはゴルフクラブヘッドの打球の安定性と使用寿命を確実に高めることができる。また、蓋板２’は使用上の需要性に応じてヘッド本体１のクラウン板、側板または背板として形成することができる。
【産業上の利用可能性】
【００２９】
上述の如く、従来のゴルフクラブヘッドの構造によれば、ただ一体成形の方式を利用して螺旋状、環状の突出塊を設置するだけであるため、振動吸収の能力を低下させてしまうという問題点があり、または複合式のフェース板はただ第一板体の背面の周縁部位において第二板材と結合するだけであるため、上記フェース板の中央部位の構造強度を低下させてしまうという問題点があったが、図１に示す本考案のゴルフクラブヘッドによれば、第一板体２１と第二板体２２を結合して複合式板体を形成し、そして選択的にフェース板２または蓋板２’とし、第二板体２２に対して強化突出体２２１と突出リブ２２２などの突出部が形成するまで加工し、さらに突出リブ２２２の間に複数個の凹欠溝２２３を形成させることにより、相対的に上記複合式板体の構造強度、振動吸収性と弾性変形の自由度をさらに高めることができる。また、第一板体２１によりフェース板２の弾性変形の自由度を相対的に増やすと共に、ゴルフクラブヘッドの打球の安定性と耐用性をさらに高めることができる。
【００３０】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００３１】
【図１】本考案の実施例１のゴルフクラブヘッドの分解斜視図である。
【図２】本考案の実施例１のゴルフクラブヘッドによる組み立てられた状態を示す断面図である。
【図３】本考案の実施例２のゴルフクラブヘッドの分解斜視図である。
【図４】本考案の実施例３のゴルフクラブヘッドによる組み立てられた状態を示す平面図である。
【図５】本考案の実施例３のゴルフクラブヘッドによる複合式板体の局部の断面図である。
【図６】本考案の実施例４のゴルフクラブヘッドによる組み立てられた状態を示す平面図である。
【図７】本考案の実施例５のゴルフクラブヘッドの分解斜視図である。
【符号の説明】
【００３２】
１    ヘッド本体                      １０    開口
１１    結合周壁                        １２    ホーゼル
２    フェース板                        ２’    蓋板
２１    第一板体                        ２１’    第一板体
２１１    正面                          ２１１’    正面
２１２    結合周面                      ２１２’    結合周面
２１３    背面                          ２１３’    背面
２２    第二板体                        ２２’    第二板体
２２１    強化突出体                    ２２１’    突出リブ
２２２    突出リブ                      ２２２’    溝
２２３    溝
【図１】
0003124540.tif 000003
【図２】
0003124540.tif 000004
【図３】
0003124540.tif 000005
【図４】
0003124540.tif 000006
【図５】
0003124540.tif 000007
【図６】
0003124540.tif 000008
【図７】
0003124540.tif 000009
【手続補正書】
【提出日】平成18年6月15日(2006.6.15)
【手続補正１】
【補正対象書類名】実用新案登録請求の範囲
【補正対象項目名】全文
【補正方法】変更
【補正の内容】
【実用新案登録請求の範囲】
【請求項１】
ヘッド本体（１）およびフェース板（２）により構成されるゴルフクラブヘッドであって、ヘッド本体（１）にはクラウン部、ソール部、背部と側部が含まれ、ヘッド本体（１）の正面には開口（１０）が形成され、さらにヘッド本体（１）の一方にはホーゼル（１２）が設けられ、フェース板（２）には金属板体（２１）と複数個の金属突出部が設けられ、金属板体（２１）には外表面と内表面が形成され、上記複数個の金属突出部は金属板体（２１）の上記内表面に設けられ、金属板体（２１）の材質は上記金属突出部の材質とは異なり、そして各二個の上記金属突出部に隣接する間には溝（２２３）が形成され、フェース板（２）はヘッド本体（１）の開口（１０）に対応するように結合されることにより、ゴルフクラブヘッドを形成することを特徴とするゴルフクラブヘッド。
【請求項２】
フェース板（２）の金属板体（２１）と上記金属突出部との間には選択的に爆発溶接層、ロール層と粘着層の少なくとも一種が形成されることを特徴とする請求項１記載のゴルフクラブヘッド。
【請求項３】
上記金属突出部は選択的に螺旋状突出部、環状突出部と網状突出部の少なくとも一種からなることを特徴とする請求項１記載のゴルフクラブヘッド。
【請求項４】
ヘッド本体（１）には他に結合周壁（１１）が設けられ、結合周壁（１１）はヘッド本体（１）の開口（１０）の内周面に形成され、そしてフェース板（２）の金属板体（２１）には他に結合周面（２１２）が設けられ、結合周面（２１２）はヘッド本体（１）の結合周壁（１１）に対応するように結合するのに用いられることを特徴とする請求項１記載のゴルフクラブヘッド。
【請求項５】
フェース板（２）の金属板体（２１）の材質は選択的に高弾性変形の能力を有する材質からなることを特徴とする請求項１記載のゴルフクラブヘッド。
【請求項６】
フェース板（２）の金属板体（２１）の材質は選択的に高い振動吸収の能力を有する材質からなることを特徴とする請求項１記載のゴルフクラブヘッド。
【請求項７】
金属板体（２１）の材質の比重は上記金属突出部の材質の比重より相対的に低くなるように形成されることを特徴とする請求項１記載のゴルフクラブヘッド。